(57)【要約】【課題】回転体にクリック部材を取り付ける場所と回転つまみを固定する場所の両方を確保しながら、回転つまみと回転体を十分な固定強度で固定することができる回転式電子部品を提供する。【解決手段】ケース２０に対して回転自在に設置された回転型物（回転体）５０と、回転型物５０に取り付けられる回転つまみ１０と、回転型物５０の回転により電気的出力が変化する電気的機能部９０とを備えると共に、回転つまみ１０と回転型物５０の回転中心部に固定用の凸部１３と凹部５３を設け、凸部１３の外周に、半径方向の外方に向かって非対称に突出する複数の突起部１４を形成し、凹部５３の内周に、突起部１４が係合する溝部５４を形成して、凸部１３と凹部５３を係合させてそれらの中心部を固定用ネジ６５で固定するように構成した回転式電子部品１である。【選択図】図１
2008159907.tif 000002
【特許請求の範囲】
【請求項１】
固定側部材と、前記固定側部材に対して回転自在に設置された回転体と、前記回転体に取り付けられる回転つまみと、前記回転体の回転によりその電気的出力が変化する電気的機能部と、を備えると共に、
前記回転体の回転中心部に設けた凹部又は凸部と、前記回転つまみに設けた前記凹部又は凸部に係合する凸部又は凹部とを備え、前記凸部と前記凹部を係合させて固定することで前記回転つまみと前記回転体を一体に取り付ける回転式電子部品において、
前記凸部の外周に、前記回転体の回転中心から半径方向の外方に向かう方向に突出する突起部を形成し、前記凹部の内周に、前記突起部が係合する溝部を形成したことを特徴とする回転式電子部品。
【請求項２】
請求項１に記載の回転式電子部品において、
前記凸部に形成した突起部は複数本であって前記回転体の回転中心に対して非対称に突出することで、前記回転つまみが前記回転体に対してその回転方向における所定の位置にのみ取り付けられるように構成したことを特徴とする回転式電子部品。
【請求項３】
請求項１又は２に記載の回転式電子部品において、
前記凸部と凹部の固定は、係合させた凸部と凹部の中心部を固定用ネジにて固定することで行われていることを特徴とする回転式電子部品。
【請求項４】
請求項１乃至３のいずれか１項に記載の回転式電子部品において、
前記回転体の上面又は下面における前記凸部又は凹部の外周にクリック部材が取り付けられていることを特徴とする回転式電子部品。
【発明の詳細な説明】
【技術分野】
【０００１】
本発明は、回転体と該回転体に一体に取り付ける回転つまみとを備えた回転式電子部品に関するものである。
【背景技術】
【０００２】
従来、固定側部材と、固定側部材に対して回転自在に設置された回転体と、回転体に取り付けた回転つまみと、回転体の回転によりその電気的出力が変化する電気的機能部とを備えた回転式電子部品がある。またこのような回転式電子部品では、特許文献１に示すように、回転体の上面の外周近傍に上下に貫通する複数の穴部を設け、回転つまみの下面の前記穴部に対向する位置に該穴部に係合する複数の凸部を設け、前記凸部を前記穴部に挿入して回転体の下面側に突出する凸部の先端を熱カシメして固定することで、回転つまみと回転体を固定側部材に対して回転自在な状態で一体に取り付けているものがある。さらにこの回転式電子部品では、回転つまみの回転に伴いクリック感覚が生じるように、回転体の上面の外周近傍に、固定側部材に取り付けたクリックバネを弾接係合させるクリック板又は固定側部材に取り付けたクリック板に弾接係合するクリックバネのいずれかであるクリック部材を設置したものがある。
【０００３】
ところで、上記のような回転式電子部品を小型化すると、回転体の上面の外周近傍に、上記の穴部を設ける場所とクリック部材を取り付ける場所の両方を確保することが難しいという問題があった。また、回転式電子部品を小型化する際に、特許文献１に記載のように、回転体の上面の外周近傍において、穴部を設けた場所以外の場所にクリック部材を設置することで、穴部を設ける場所とクリック部材を取り付ける場所の両方を確保できる場合でも、クリック部材を回転体の上面の外周の限られた一部にしか設置できないために、回転つまみの所望の回転範囲でクリック感覚が生じるように構成することができないおそれがあった。
【特許文献１】特開２００２−１９０４０３号公報
【発明の開示】
【発明が解決しようとする課題】
【０００４】
そこで、回転体の上面の中心部の一箇所だけに穴部を設け、回転体の上面の該穴部の外周にクリック部材を設置することで、回転体の上面に穴部を設ける場所とクリック部材を取り付ける場所の両方を確保することが考えられる。しかしながら、回転体の中心部の一箇所だけに設けた穴部に回転つまみの凸部を挿入して該凸部の先端を熱カシメして固定する構造では、回転つまみと回転体の回転方向や引張方向における十分な固定強度を確保することができないという問題があった。
【０００５】
本発明は上述の点に鑑みてなされたものでありその目的は、回転体にクリック部材を取り付ける場所と回転つまみを固定する場所の両方を確保しながら、回転つまみと回転体を十分な固定強度で固定することができる回転式電子部品を提供することにある。
【課題を解決するための手段】
【０００６】
上記課題を解決するため本願の請求項１に記載の発明は、固定側部材と、前記固定側部材に対して回転自在に設置された回転体と、前記回転体に取り付けられる回転つまみと、前記回転体の回転によりその電気的出力が変化する電気的機能部と、を備えると共に、前記回転体の回転中心部に設けた凹部又は凸部と、前記回転つまみに設けた前記凹部又は凸部に係合する凸部又は凹部とを備え、前記凸部と前記凹部を係合させて固定することで前記回転つまみと前記回転体を一体に取り付ける回転式電子部品において、前記凸部の外周に、前記回転体の回転中心から半径方向の外方に向かう方向に突出する突起部を形成し、前記凹部の内周に、前記突起部が係合する溝部を形成したことを特徴とする。
【０００７】
本願の請求項２に記載の発明は、請求項１に記載の回転式電子部品において、前記凸部に形成した突起部は複数本であって前記回転体の回転中心に対して非対称に突出することで、前記回転つまみが前記回転体に対してその回転方向における所定の位置にのみ取り付けられるように構成したことを特徴とする。
【０００８】
本願の請求項３に記載の発明は、請求項１又は２に記載の回転式電子部品において、前記凸部と凹部の固定は、係合させた凸部と凹部の中心部を固定用ネジにて固定することで行われていることを特徴とする。
【０００９】
本願の請求項４に記載の発明は、請求項１乃至３のいずれか１項に記載の回転式電子部品において、前記回転体の上面又は下面における前記凸部又は凹部の外周にクリック部材が取り付けられていることを特徴とする。
【発明の効果】
【００１０】
本願の請求項１に記載の発明によれば、回転体と回転つまみの凹部と凸部をそれらの回転中心部に設けたことで、回転体にクリック部材を設置する場所と固定用の凹部又は凸部を設ける場所の両方を確保していると共に、凸部の外周に回転体の回転中心から半径方向の外方に向かう方向に突出する突起部を形成し、凹部の内周に突起部が係合する溝部を形成したことで、凸部と凹部の係合による回転つまみと回転体間の回転方向の固定強度を強くすることができる回転式電子部品となる。
【００１１】
本願の請求項２に記載の発明によれば、簡単な構成で、回転つまみを回転体に対してその回転方向における所定の位置にのみ確実に取り付けることができるようになる。
【００１２】
本願の請求項３に記載の発明によれば、凸部と凹部を固定用ネジにて固定するので、凹部に係合している凸部が容易に抜けるおそれがなく、凸部と凹部の係合による回転つまみと回転体間の引張方向の固定強度を強くすることができる。
【００１３】
本願の請求項４に記載の発明によれば、回転体にクリック部材を設置する場所を確保しながらも、回転つまみと回転体を十分な固定強度で固定することができる回転式電子部品となる。
【発明を実施するための最良の形態】
【００１４】
以下、本発明の実施の形態を図面を参照して詳細に説明する。図１は、本発明の一実施形態にかかる回転式電子部品１の各構成部品を上方から見た分解斜視図で、図２は、各構成部品を下方からみた分解斜視図である。ただし図２では、回転式電子部品１の下記する構成部品のうち、摺動子６０とフレキシブル回路基板７０と取付部材８０の図示は省略している。また図３は、組み立てた回転式電子部品１をその下面側から見た概略平面図である。なお図３でも、フレキシブル回路基板７０と取付部材８０の図示は省略している。これらの図に示すように、回転式電子部品１は、回転つまみ１０と、クリック部材（以下、「クリックバネ」という）３０を取り付けた固定側部材（以下「ケース」という）２０と、クリック部材（以下、「クリック板」という）４０と摺動子６０を取り付けた回転体（以下、「回転型物」という）５０と、固定用ネジ６５と、フレキシブル回路基板７０と、取付部材８０とを具備して構成されている。以下各構成部品について説明する。
【００１５】
回転つまみ１０は、略円形の平板状に形成された合成樹脂製の成型品で、上面の外周の一部に隣接する位置には、指などで操作する突起状の操作部１１が形成されている。また図示は省略するが、上面の外周に沿った内側位置には、この回転つまみ１０を回転させて操作する際の各位置における操作内容を示す表示が、印刷形成などによって設けられている。一方、下面の外周には下方に突出する縁部１２が形成され、下面の中央部には下方に突出する軸状の凸部１３が設けられている。この凸部１３は、円柱状の基部１３ａと該基部１３ａの外周側面から外方に突出する複数の矩形状の突起部１４とを一体に備えた形状に形成されている。突起部１４は複数設けられていて、各突起部１４は、回転つまみ１０の回転中心部（凸部１３の中心部）からその半径方向の外方に向かう方向に放射状に突出している。また、図３に示すように、各突起部１４は、回転つまみ１０の回転中心部に対して互いに非対称の方向に突出している。即ち、各突起部１４は、回転つまみ１０の回転中心に対して隣接する突起部１４の間の角度が等間隔ではなく、僅かに異なる角度になるように配置されている。これにより、凸部１３が下記する回転型物５０の凹部５３に対して所定の方向にのみ係合できるようになっている。また、凸部１３の下端面の中心部には、内周側面にネジ溝が形成されたネジ穴１５が設けられている。
【００１６】
ケース２０は、矩形の平板状に形成された合成樹脂製の成形品で、その上面側に円形の突起状に突出する突出部２１を設けており、該突出部２１の下面側が円形の凹部である収納部２２になっている。また、突出部２１の中央には、上面側から収納部２２に貫通する円形の開口部２３が形成されていて、突出部２１の上面の外周近傍には、回転つまみ１０の縁部１２の下端が配置される円形の溝部２４が形成されている。一方、収納部２２の底面（突出部２１の下面）における開口部２３の周囲には、下記するクリックバネ３０を設置する円形の溝部２５が形成されていて、溝部２５内には、複数の小突起状の固定部２６が設けられている。また、収納部２２の内周側面の一部には、収納部２２内に向かって突出する突起状のストッパー２７が形成されている。このストッパー２７は、回転型物５０が回転する際に、回転型物５０の下記するストッパー当接部５１，５１に当接して回転型物５０の回転を所定位置で停止させるものである。一方、このケース２０の収納部２２の外側の下面の四隅には、小突起からなる固定部２８が設けられている。
【００１７】
クリックバネ３０は、弾性金属板を円形のリング状に形成して構成されており、その一方の半円弧状部分には、複数の貫通穴からなる取付固定部３１が形成されている。また、他方の半円弧状部分は、根元部分が下方に向かって若干折り曲げられた円弧状のアーム部３２になっていて、該アーム部３２の中間部には、下方に突出する突起状のクリック弾接部３３が設けられている。
【００１８】
クリック板４０は、金属板を略半円弧形状に形成して構成されており、その円周方向に沿って貫通穴からなるクリック係合部４１を等間隔に設けており、また、外周の二箇所から半径方向の外側に向けて舌片状の突出部４２を突出し、そこに、回転型物５０の下記する固定部５６を固定する小孔からなる取付固定部４３を設けている。なお、各クリック係合部４１は、クリックバネ３０のクリック弾接部３３を弾接係合させる大きさ及び形状に形成されている。
【００１９】
回転型物５０は、略円形の平板状に形成された合成樹脂製の成型品で、その外径寸法は、ケース２０の収納部２２の内径寸法よりも若干小さな寸法に形成されている。そして、その半径方向の両側近傍の外周側面には、該外周側面から中心部に向かって垂直平面状に切り込まれた一対のストッパー当接部５１，５１が設けられており、ストッパー当接部５１，５１の一方側の外径寸法は、他方側の外径寸法よりもストッパー当接部５１，５１の半径方向の長さ分だけ小さな寸法になっている。一方、この回転型物５０の上面の中央部には、円柱状の軸部５２が突設されている。この軸部５２は、ケース２０の開口部２３内に配置された際に、その外周側面が開口部２３の内周側面で回転自在に案内されるように、開口部２３の内径寸法よりも僅かに小さな外径寸法に形成されている。そして、この軸部５２の上面の中心部には、回転つまみ１０の凸部１３を係合させる凹部５３が形成されている。この凹部５３は円筒状で、その内径の寸法が凸部１３の基部１３ａの外径の寸法よりも僅かに大きな寸法に形成され、その内周側面には、凸部１３の外周側面の突起部１４を係合させる複数の溝部５４が形成されている。各溝部５４は、凸部１３の各突起部１４に対応する位置に設けられ、凹部５３の上端から下方に切り込まれた切込状に形成されており、各突起部１４をその内部に係合させるように、各突起部１４の外形寸法よりも僅かに大きな内形寸法を備えて形成されている。また、凹部５３の底部５３ａには、回転型物５０の下面側に貫通する円形の開口からなるネジ挿通部５５が設けられている。ネジ挿通部５５の内径の寸法は、下記する固定用ネジ６５の軸部６５ａの外径の寸法よりも僅かに大きな寸法になっている。一方、回転型物５０の上面の外周近傍の二箇所の位置には、クリック板４０を固定する小突起状の固定部５６が設けられており、下面の外周近傍の一箇所の位置には、摺動子６０を固定する小突起状の固定部５７が設けられている。
【００２０】
摺動子６０は、導電性を有する弾性金属板によって構成された部材で、平板状の基部６１の一端から二本の摺動冊子６２を突出し、これらを基部６１の下面側に折り曲げて形成されている。基部６１には、貫通穴からなる取付固定部６３が設けられている。
【００２１】
固定用ネジ６５は、金属材料で構成されたネジであり、その軸部６５ａが回転型物５０の凹部５３の底部５３ａに設けたネジ挿通部５５に下側から挿通されて、回転つまみ１０の凸部１３の先端部に設けたネジ穴１５に締結固定されるようになっている。
【００２２】
フレキシブル回路基板７０は、ケース２０の外形と略一致する外形を備えた可撓性を有する合成樹脂フイルム製の薄板部材で、ケース２０の固定部２８に対応する四隅の位置に、固定部２８を挿通する貫通穴からなる取付固定部７１が設けられている。また、このフレキシブル回路基板７０の上面には、摺動子６０が摺接する摺接パターン７２が形成されている。この摺接パターン７２は、フレキシブル回路基板７０上に導電ペーストを印刷形成してなる一本の円弧状のコモンパターン７２ａと、該コモンパターン７２ａの外側に同一円周上で複数に分割配置された接点パターン７２ｂとを備えて構成されている。また、図示は省略するが、コモンパターン７２ａと接点パターン７２ｂとからそれぞれ引出部が引き出されている。摺動子６０とこの摺接パターン７２とで、回転型物５０の回転によって電気的出力が変化する電気的機能部９０が構成されている。
【００２３】
取付部材８０は、ケース２０の外形と略同一の外形を有する金属製あるいは合成樹脂製の硬質平板からなり、ケース２０の固定部２８に対応する四隅の位置には、固定部２８を取り付ける貫通穴からなる取付固定部８１を設けて構成されている。
【００２４】
次に、この回転式電子部品１を組み立てる手順について説明する。まず、ケース２０の下面にクリックバネ３０を取り付ける。それには、クリック弾接部３３が下方に突出する向きに配置したクリックバネ３０を、収納部２２の底部の溝部２５内に設置し、該クリックバネ３０の取付固定部３１に固定部２６を挿入して、クリックバネ３０の下面に突出する固定部２６の先端を熱カシメして固定することで、溝部２５内にクリックバネ３０を固定する。その一方で、回転型物５０の上面の軸部５２の外側にクリック板４０を取り付けると共に、下面に摺動子６０を取り付ける。クリック板４０を取り付けるには、クリック板４０の取付固定部４３に回転型物５０の固定部５６を挿入してクリック板４０の突出部４２の上面側に突出する固定部５６の先端を熱カシメして固定する。また、摺動子６０を取り付けるには、回転型物５０の固定部５７を摺動子６０の取付固定部６３に挿入して、摺動子６０の基部６１の下面側に突出する固定部５７の先端を熱カシメして固定する。
【００２５】
次に、ケース２０の収納部２２内にクリック板４０と摺動子６０を取り付けた回転型物５０を収納する。その際、回転型物５０の軸部５２をケース２０の開口部２３に下側から挿入する。回転型物５０が収納部２２内に収納されると、クリックバネ３０のクリック弾接部３３がクリック板４０のいずれかのクリック係合部４１に弾接係合する。一方で、ケース２０の上部に回転つまみ１０を配置して、回転つまみ１０の凸部１３をケース２０の開口部２３内に配置されている回転型物５０の凹部５３に挿入して、これら凸部１３と凹部５３を係合させる。その状態で、凹部５３のネジ挿通部５５にその下側（回転型物５０の下面側）から固定用ネジ６５を挿入して、該固定用ネジ６５を凸部１３のネジ穴１５に締結することで、凹部５３と凸部１３を一体に固定する。これにより、回転つまみ１０と回転型物５０とがケース２０の上下で一体に回転自在に取り付けられる。
【００２６】
続いて、取付部材８０上にフレキシブル回路基板７０を載置したものを、ケース２０の下側に取り付ける。その際、フレキシブル回路基板７０の取付固定部７１と、取付部材８０の取付固定部８１とにケース２０の固定部２８を挿入し、取付部材８０の下面側に突出する固定部２８の先端を熱カシメして固定する。これにより、摺動子６０の摺動冊子６２がフレキシブル回路基板７０の摺接パターン７２上に当接する。以上により、回転式電子部品１の組み立てが完了する。
【００２７】
この回転式電子部品１は、図１乃至図３に示すように、ケース２０と、ケース２０に対して回転自在に設置された回転型物５０と、回転型物５０に取り付けられた回転つまみ１０と、回転型物５０に取り付けられた摺動子６０と該摺動子６０が摺接する摺接パターン７２とで構成された電気的機能部９０とを備えている。そして、回転型物５０の回転中心部に設けた凹部５３と、回転つまみ１０に設けた凹部５３に係合する凸部１３とを備えていて、さらに、凸部１３の外周に、回転型物５０の回転中心部から半径方向の外方に向かう方向に突出する突起部１４を形成し、凹部５３の内周に、この突起部１４が係合する溝部５４を形成している。また、凸部１３に形成した突起部１４は複数本であって、回転型物５０の回転中心に対して非対称に突出している。これら凸部１３と凹部５３を係合させ、且つ、この係合させた凸部１３と凹部５３の中心部に設けたネジ挿通部５５とネジ穴１５に固定用ネジ６５を取り付けて固定することで、回転つまみ１０と回転型物５０を一体に取り付けるようになっている。
【００２８】
この回転式電子部品１では、回転つまみ１０と回転型物５０の互いに係合する凸部１３と凹部５３をこれらの回転中心部に設け、回転型物５０の上面の凹部５３の外周にクリック板４０を設置したことで、回転型物５０に、クリック板４０を設置する場所と固定用の凹部５３を設ける場所の両方を確保している。そして、凸部１３の外周に回転型物１０の回転中心から半径方向の外方に向かう方向に突出する突起部１４を形成し、凹部５３の内周に突起部１３が係合する溝部５３を形成したことで、凸部１３と凹部５３の係合による回転つまみ１０と回転体５０間の回転方向の固定強度が強くなるようにしている。また、凸部１３と凹部５３を固定用ネジ６５にて固定していることで、凸部１３と凹部５３の係合による回転つまみ１０と回転型物５０間の引張方向の固定強度が強くなるようにしている。
【００２９】
さらに、この回転式電子部品１では、凸部１３に突起部１４を形成し、凹部５３に該突起部１４を係合させる溝部５４を形成したことで、凸部１３と凹部５３の係合方向を所定の方向に規定している。したがって、回転つまみ１０を回転型物５０に対して所定の位置に正確に取り付けることができるようになる。特に、凸部１３に形成した突起部１４は、回転つまみ１０の回転中心に対して非対称に突出しているので、簡単な構成で、回転つまみ１０を回転型物５０に対してその回転方向における所定の位置にのみ確実に取り付けることができるようになる。これにより、回転つまみ１０を回転型物５０に取り付ける際に、回転つまみ１０に設けた操作部１１や表示の位置を、回転型物５０に設けたストッパー当接部５１や回転型物５０に取り付けた摺動子６０の位置に正確に合わせることが容易且つ確実に行えるようになる。
【００３０】
なお、本実施形態の回転式電子部品１では、凸部１３と凹部５３の中心部の一箇所のみで凸部１３と凹部５３を固定しているが、これは、凸部１３の先端の面積が小さいためにその中心部の一箇所だけでしか固定が行えないためである。その上で、この一箇所を固定用ネジ６５にて固定することで、該一箇所の固定だけで凸部１３と凹部５３を確実に固定でき、回転つまみ１０と回転型物５０の引張方向の固定強度が強くなるようにしている。そして、このような回転式電子部品１において、凸部１３の外周から外方に突出する突起部１４を設けたことで、回転つまみ１０を回転型物５０に対して所定の位置に正確に取り付けることができるようにしていると共に、回転つまみ１０と回転型物５０の回転方向の固定強度が強くなるようにしている。
【００３１】
次に、この回転式電子部品１において、回転つまみ１０を回転操作する際の動作について簡単に説明する。回転つまみ１０の操作部１１を指で操作して回転つまみ１０を回転させると、回転つまみ１０と一体に回転型物５０が回転し、それに伴い、クリックバネ３０のクリック弾接部３３がクリック板４０のいずれかのクリック係合部４１から出て隣接するクリック係合部４１に順次係合することで、クリック感覚が生じる。一方で、回転型物５０の回転によって、摺動子６０が摺接パターン７２のコモンパターン７２ａ及び接点パターン７２ｂ上を摺接移動することで、摺動子６０と摺接パターン７２の当接状態が順次変化し、コモンパターン７２ａと接点パターン７２ｂから引き出された引出部の間の電気的出力が変化する。また、回転つまみ１０と回転型物５０が所定の角度回転した位置で、ケース２０のストッパー２７が回転型物５０のストッパー当接部５１に当接し、その位置で、回転つまみ１０と回転型物５０の回転が停止する。
【００３２】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば、上記実施形態では、回転つまみ１０に凸部１３を設け、回転型物５０に凹部５３を設けているが、これとは逆に、図示は省略するが、回転つまみ１０に凹部を設け、回転型物５０に凸部を設けてもよい。また、上記実施形態では、凸部１３にネジ穴１５を設け、凹部５３にネジ挿通部５５を設けているが、これとは逆に、凸部１３にネジ挿通部を設け、凹部にネジ穴を設けてもよい。また、回転式電子部品１が備える凸部１３や凹部５３の具体的な形状は一例であり、本発明の回転式電子部品の凸部や凹部は、上記実施形態に示す円柱形状や円筒形状以外の他の形状であっても良い。また、凸部に設けた突起部と凹部に設けた溝部の具体的な数や形状も一例であり、本発明の回転式電子部品の凸部と凹部に設ける突起部と溝部は、回転つまみ又は回転体の回転中心部に対して非対称に突出して形成されているものであれば、他の数や形状であってもよい。
【００３３】
また、本発明の回転式電子部品の凸部と凹部間の固定手段は、上記実施形態のように固定用ネジによる固定には限定されず、それ以外にも、例えば、凸部の先端面から突出する突起を凹部の底面に設けた挿通部に挿通して前記突起の先端を熱カシメするなど、他の固定手段で固定しても良い。また、上記実施形態では、回転型物５０にクリック部材としてクリック板４０を取り付けた場合を示したが、これ以外にも、図示は省略するが、回転型物５０にクリックバネを設置し、ケース２０の下面にこのクリックバネが弾接係合するクリック板を設置することも可能である。また、クリック板又はクリックバネは回転型物５０の下面に設置することも可能である。なおその場合は、回転型物５０の下面に設置したクリック板又はクリックバネに対向する位置に、これらクリック板又はクリックバネと弾接係合するクリックバネ又はクリック板を設置する。
【図面の簡単な説明】
【００３４】
【図１】本発明の一実施形態にかかる回転式電子部品の構成部品を上方から見た分解斜視図である。
【図２】回転式電子部品の構成部品を下方から見た分解斜視図である。
【図３】組み立てた回転式電子部品をその下面側から見た概略平面図である。
【符号の説明】
【００３５】
１      回転式電子部品
１０    回転つまみ
１３    凸部
１３ａ  基部
１４    突起部
１５    ネジ穴
２０    ケース（固定側部材）
２７    ストッパー
３０    クリックバネ（クリック部材）
４０    クリック板（クリック部材）
５０    回転型物（回転体）
５１    ストッパー当接部
５２    軸部
５３    凹部
５３ａ  底部
５４    溝部
５５    ネジ挿通部
６０    摺動子（電気的機能部）
６５    固定用ネジ
７０    フレキシブル回路基板
７２    摺接パターン（電気的機能部）
８０    取付部材
９０    電気的機能部
【図１】
2008159907.tif 000003
【図２】
2008159907.tif 000004
【図３】
2008159907.tif 000005